(57)【要約】【課題】サドル及びバンドの挿通孔にボルトを挿通した際に作業者が支えることなくボルトの落下を防止できる分水栓装置を提供する。【解決手段】本分水栓装置１は、バンド５のサドル４と対向する上面側には、バンドの挿通孔２０を覆うように弾性シート２３が配され、弾性シートには、ボルトの軸部１０ａが圧入し得るように表裏方向に貫通した貫通部２４が形成されている。そして、サドル及びバンドの挿通孔１６、２０にボルトの軸部をバンドの下方から挿通したときに、ボルトの軸部が弾性シートの貫通部に圧入することで、ボルトのネジ部１０ｂがサドルの挿通孔から上方に突出するように、バンドに対してボルトが位置保持される。【選択図】図２
2016084850.tif 000002
【特許請求の範囲】
【請求項１】
弁機構を有する分水栓と、該分水栓が取り付けられ且つ水道本管の外周上側に配されるサドルと、前記水道本管を挟んで前記サドルに対向するように前記水道本管の外周下側に配されるバンドと、を備え、前記サドル及び前記バンドのそれぞれに形成された挿通孔にボルトの軸部が前記バンドの下方から挿通される分水栓装置であって、
前記バンドの前記サドルと対向する上面側には、前記バンドの前記挿通孔を覆うように弾性シートが配され、前記弾性シートには、前記ボルトの軸部が圧入し得るように表裏方向に貫通した貫通部が形成されており、
前記サドル及び前記バンドの前記挿通孔に前記ボルトの軸部を前記バンドの下方から挿通したときに、前記ボルトの軸部が前記弾性シートの前記貫通部に圧入することで、前記ボルトのネジ部が前記サドルの前記挿通孔から上方に突出するように、前記バンドに対して前記ボルトが位置保持されることを特徴とする分水栓装置。
【請求項２】
前記貫通部は、前記バンドの前記挿通孔の中心側に配される孔部と、該孔部の外周縁から外側に向かって延びる複数のスリットと、を備える請求項１記載の分水栓装置。
【請求項３】
前記弾性シートは、前記バンドの前記サドルと対向する上面に接合されている請求項１又は２に記載の分水栓装置。
【請求項４】
前記バンドの前記挿通孔には、前記ボルトの軸部が挿通される筒状の絶縁体が装着され、前記バンドの前記サドルと対向する上面には、前記絶縁体の軸方向の一端側に設けられ且つその上面に前記弾性シートが接合されたフランジが当接又は対向されている請求項１又は２に記載の分水栓装置。
【請求項５】
前記バンドの下面側には、前記ボルトの軸回りの回転を規制するための壁部が形成されており、前記ボルトの頭部が前記壁部の側方に当接又は対向して前記ボルトの軸回りの回転が規制されるように、前記バンドに対して前記ボルトが位置保持される請求項１乃至４のいずれか一項に記載の分水栓装置。
【請求項６】
請求項１乃至５のいずれか一項に記載の分水栓装置の組付方法であって、
前記水道本管の外周上側に前記サドルを配するとともに、前記水道本管の外周下側に前記バンドを配する配置工程と、
前記配置工程で配された前記サドル及び前記バンドの前記挿通孔に前記ボルトの軸部を前記バンドの下方から挿通するボルト挿通工程と、
前記ボルト挿通工程で挿通された前記ボルトのネジ部にナットを螺合するナット螺合工程と、を備え、
前記ボルト挿通工程では、前記ボルトの軸部が前記弾性シートの前記貫通部に圧入することで、前記ボルトのネジ部が前記サドルの前記挿通孔から上方に突出するように、前記バンドに対して前記ボルトが位置保持されることを特徴とする分水栓装置の組付方法。
【発明の詳細な説明】
【技術分野】
【０００１】
本発明は、分水栓装置及びその組付方法に関し、さらに詳しくは、水道本管から家庭等に水道を引き込むために使用される分水栓装置及びその組付方法に関する。
【背景技術】
【０００２】
従来の分水栓装置としては、例えば、図１７に示すように、弁機構１０２を有する分水栓１０３と、分水栓１０３が取り付けられ且つ水道本管Ｐの外周上側に配されるサドル１０４と、水道本管Ｐを挟んでサドル１０４に対向するように水道本管Ｐの外周下側に配されるバンド１０５と、を備える分水栓装置１０１が一般に知られている（例えば、特許文献１参照）。この分水栓装置１０１の組付作業では、先ず、水道本管Ｐの外周上側にサドル１０４を配するとともに水道本管Ｐの外周下側にバンド１０５を配し、次に、サドル１０４及びバンド１０５の各挿通孔１１６、１２０にボルトの軸部１１０ａをバンド１０５の下方から挿通し、次いで、ボルトのネジ部１１０ｂがサドル１０４の挿通孔１１６から上方に突出するようにボルト１１０を人手により位置保持しつつボルトのネジ部１１０ｂにナット１１１を螺合するようにしている。
【先行技術文献】
【特許文献】
【０００３】
【特許文献１】実用新案登録第３１８５８７６号公報
【発明の概要】
【発明が解決しようとする課題】
【０００４】
しかし、上記従来の分水栓装置１０１の組付作業では、サドル１０４及びバンド１０５の各挿通孔１１６、１２０に挿通されたボルト１１０は、作業者が支えていないと落下してしまう（図１７中に仮想線で示す。）。そのため、ボルト１１０を人手により位置保持しつつボルトのネジ部１１０ｂにナット１１１を螺合する必要があり、煩雑な作業となっていた。
【０００５】
本発明は、上記現状に鑑みてなされたものであり、サドル及びバンドの挿通孔にボルトを挿通した際に作業者が支えることなくボルトの落下を防止することができる分水栓装置及びその組付方法を提供することを目的とする。
【課題を解決するための手段】
【０００６】
上記問題を解決するために、請求項１に記載の発明は、弁機構を有する分水栓と、該分水栓が取り付けられ且つ水道本管の外周上側に配されるサドルと、前記水道本管を挟んで前記サドルに対向するように前記水道本管の外周下側に配されるバンドと、を備え、前記サドル及び前記バンドのそれぞれに形成された挿通孔にボルトの軸部が前記バンドの下方から挿通される分水栓装置であって、前記バンドの前記サドルと対向する上面側には、前記バンドの前記挿通孔を覆うように弾性シートが配され、前記弾性シートには、前記ボルトの軸部が圧入し得るように表裏方向に貫通した貫通部が形成されており、前記サドル及び前記バンドの前記挿通孔に前記ボルトの軸部を前記バンドの下方から挿通したときに、前記ボルトの軸部が前記弾性シートの前記貫通部に圧入することで、前記ボルトのネジ部が前記サドルの前記挿通孔から上方に突出するように、前記バンドに対して前記ボルトが位置保持されることを要旨とする。
請求項２に記載の発明は、請求項１記載の発明において、前記貫通部は、前記バンドの前記挿通孔の中心側に配される孔部と、該孔部の外周縁から外側に向かって延びる複数のスリットと、を備えることを要旨とする。
請求項３に記載の発明は、請求項１又は２に記載の発明において、前記弾性シートは、前記バンドの前記サドルと対向する上面に接合されていることを要旨とする。
請求項４に記載の発明は、請求項１又は２に記載の発明において、前記バンドの前記挿通孔には、前記ボルトの軸部が挿通される筒状の絶縁体が装着され、前記バンドの前記サドルと対向する上面には、前記絶縁体の軸方向の一端側に設けられ且つその上面に前記弾性シートが接合されたフランジが当接又は対向されていることを要旨とする。
請求項３に記載の発明は、請求項１乃至４のいずれか一項に記載の発明において、前記バンドの下面側には、前記ボルトの軸回りの回転を規制するための壁部が形成されており、前記ボルトの頭部が前記壁部の側方に当接又は対向して前記ボルトの軸回りの回転が規制されるように、前記バンドに対して前記ボルトが位置保持されることを要旨とする。
【０００７】
上記問題を解決するために、請求項６に記載の発明は、請求項１乃至５のいずれか一項に記載の分水栓装置の組付方法であって、前記水道本管の外周上側に前記サドルを配するとともに、前記水道本管の外周下側に前記バンドを配する配置工程と、前記配置工程で配された前記サドル及び前記バンドの前記挿通孔に前記ボルトの軸部を前記バンドの下方から挿通するボルト挿通工程と、前記ボルト挿通工程で挿通された前記ボルトのネジ部にナットを螺合するナット螺合工程と、を備え、前記ボルト挿通工程では、前記ボルトの軸部が前記弾性シートの前記貫通部に圧入することで、前記ボルトのネジ部が前記サドルの前記挿通孔から上方に突出するように、前記バンドに対して前記ボルトが位置保持されることを要旨とする。
【発明の効果】
【０００８】
本発明の分水栓装置によると、バンドのサドルと対向する上面側には、バンドの挿通孔を覆うように弾性シートが配され、弾性シートには、ボルトの軸部が圧入し得るように表裏方向に貫通した貫通部が形成されている。そして、サドル及びバンドの挿通孔にボルトの軸部をバンドの下方から挿通したときに、ボルトの軸部が弾性シートの貫通部に圧入することで、ボルトのネジ部がサドルの挿通孔から上方に突出するように、バンドに対してボルトが位置保持される。このように、ボルトの軸部が弾性シートの貫通部に圧入すると、弾性シートの貫通部の近傍部分は、弾性変形して上方に捲れ上がりボルトの軸部に圧接するため、バンドに対してボルトが位置保持される。これにより、サドル及びバンドの挿通孔にボルトを挿通した際に作業者が支えることなくボルトの落下を防止することができる。その結果、ボルトのネジ部にナットを容易に螺合でき、水道本管に分水栓装置を容易に組み付けることができる。
また、前記貫通部が、前記バンドの前記挿通孔の中心側に配される孔部と、該孔部の外周縁から外側に向かって延びる複数のスリットと、を備える場合は、弾性シートの貫通部に対するボルトの軸部の挿入性及び保持性をバランス良く高めることができる。
また、前記弾性シートが、前記バンドの前記サドルと対向する上面に接合されている場合は、弾性シートを容易に接合できる。
また、前記バンドの前記挿通孔に、前記ボルトの軸部が挿通される筒状の絶縁体が装着され、前記バンドの前記サドルと対向する上面に、前記絶縁体の軸方向の一端側に設けられ且つその上面に前記弾性シートが接合されたフランジが当接又は対向されている場合は、絶縁体を備える分水栓装置として好適に利用できる。
さらに、前記バンドの下面側に、前記ボルトの軸回りの回転を規制するための壁部が形成されており、前記ボルトの頭部が前記壁部の側方に当接又は対向して前記ボルトの軸回りの回転が規制されるように、前記バンドに対して前記ボルトが位置保持される場合は、ボルトが回転規制された状態で位置保持されるため、ボルトのネジ部にナットを更に容易に螺合できる。
【０００９】
本発明の分水栓装置の組付方法によると、水道本管の外周上側にサドルを配するとともに、水道本管の外周下側にバンドを配する配置工程と、配置工程で配されたサドル及びバンドの挿通孔にボルトの軸部をバンドの下方から挿通するボルト挿通工程と、ボルト挿通工程で挿通されたボルトのネジ部にナットを螺合するナット螺合工程と、を備える。そして、ボルト挿通工程では、ボルトの軸部が弾性シートの貫通部に圧入することで、ボルトのネジ部がサドルの挿通孔から上方に突出するように、バンドに対してボルトが位置保持される。このように、ボルトの軸部が弾性シートの貫通部に圧入すると、弾性シートの貫通部の近傍部分は、弾性変形して上方に捲れ上がりボルトの軸部に圧接するため、バンドに対してボルトが位置保持される。これにより、サドル及びバンドの挿通孔にボルトを挿通した際に作業者が支えることなくボルトの落下を防止することができる。その結果、ボルトのネジ部にナットを容易に螺合でき、水道本管に分水栓装置を容易に組み付けることができる。
【図面の簡単な説明】
【００１０】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例１に係る分水栓装置の要部を断面とした正面図である。
【図２】図１の要部拡大図である。
【図３】実施例１に係る弾性シートを説明するための説明図であり、（ａ）は弾性シートの正面図を示し、（ｂ）は（ａ）のｂ−ｂ線断面図を示す。
【図４】上記弾性シートの斜視図である。
【図５】上記分水栓装置の組付方法を説明するための説明図であり、（ａ）は水道本管にサドル及びバンドを配置した状態を示し、（ｂ）はサドル及びバンドの挿通孔にボルトを挿通した状態を示す。
【図６】上記分水栓装置の組付方法を説明するための説明図である。
【図７】実施例２に係る分水栓装置の要部を断面とした正面図である。
【図８】図７のＶＩＩＩ矢視拡大図である。
【図９】図７のＩＸ矢視部分の拡大図である。
【図１０】実施例２に係るサドル側絶縁体の分解斜視図である。
【図１１】図７のＸＩ矢視部分の拡大図である。
【図１２】実施例２に係るバンド側絶縁体の分解斜視図である。
【図１３】その他の形態の貫通部を説明するための説明図であり、（ａ）は弾性シートの正面図を示し、（ｂ）は（ａ）のｂ−ｂ線断面図を示す。
【図１４】更にその他の形態の貫通部を説明するための説明図であり、（ａ）は弾性シートの正面図を示し、（ｂ）は（ａ）のｂ−ｂ線断面図を示す。
【図１５】更にその他の形態の貫通部を説明するための説明図であり、（ａ）は弾性シートの正面図を示し、（ｂ）は（ａ）のｂ−ｂ線断面図を示す。
【図１６】その他の形態の分水栓装置を説明するための説明図である。
【図１７】従来の分水栓装置を説明するための説明図である。
【発明を実施するための形態】
【００１１】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１２】
＜分水栓装置＞
本実施形態に係る分水栓装置は、弁機構（２）を有する分水栓（３）と、分水栓（３）が取り付けられ且つ水道本管（Ｐ）の外周上側に配されるサドル（４）と、水道本管（Ｐ）を挟んでサドル（４）に対向するように水道本管（Ｐ）の外周下側に配されるバンド（５）と、を備え、サドル（４）及びバンド（５）のそれぞれに形成された挿通孔（１６、２０）にボルトの軸部（１０ａ）がバンド（５）の下方から挿通される分水栓装置（１、３１）である（例えば、図１及び図７等参照）。そして、バンド（５）のサドル（４）と対向する上面側には、バンド（５）の挿通孔（２０）を覆うように弾性シート（２３）が配され、弾性シート（２３）には、ボルトの軸部（１０ａ）が圧入し得るように表裏方向に貫通した貫通部（２４、２４ａ〜２４ｃ）が形成されている（例えば、図２、図１１及び図１３〜図１５等参照）。さらに、サドル（４）及びバンド（５）の挿通孔（１６、２０）にボルトの軸部（１０ａ）をバンド（５）の下方から挿通したときに、ボルトの軸部（１０ａ）が弾性シート（２３）の貫通部（２４、２４ａ〜２４ｃ）に圧入することで、ボルトのネジ部（１０ｂ）がサドル（４）の挿通孔（１６）から上方に突出するように、バンド（５）に対してボルト（１０）が位置保持される（例えば、図５（ｂ）及び図６等参照）。
【００１３】
本実施形態に係る分水栓装置としては、例えば、上記貫通部（２４）は、バンド（５）の挿通孔（２０）の中心側に配される孔部（２５）と、孔部（２５）の外周縁から外側に向かって延びる複数のスリット（２６）と、を備える形態（例えば、図３及び図４等参照）を挙げることができる。なお、上記孔部やスリットの寸法、形状、個数、配置場所等は、使用するボルトの重さや大きさ等に応じて適宜選択される。
【００１４】
上述の形態の場合、例えば、上記孔部（２５）は、その孔面積がボルトの軸部（１０ａ）の横断面積より小さな値とされ、上記スリット（２６）は、その先端側（外端側）が挿通孔（２０）の外周側まで延びていることができる（例えば、図３（ａ）参照）。これにより、ボルトの軸部の挿入性及び保持性を更にバランス良く高めることができる。
【００１５】
本実施形態に係る分水栓装置としては、例えば、上記弾性シート（２３）は、バンド（５）のサドル（４）と対向する上面に接合されている形態（例えば、図２等参照）を挙げることができる。
【００１６】
本実施形態に係る分水栓装置としては、例えば、上記バンド（５）の挿通孔（２０）には、ボルトの軸部（１０ａ）が挿通される筒状の絶縁体（３７）が装着され、バンド（５）のサドル（４）と対向する上面には、絶縁体（３７）の軸方向の一端側に設けられ且つ弾性シート（２３）が接合されたフランジ（３９ｂ）が当接又は対向されている形態（例えば、図１１等参照）を挙げることができる。
【００１７】
上述の形態の場合、例えば、上記絶縁体（３７）は、挿通孔（２０）の下方から挿入される樹脂製の第１筒体（３８）と、挿通孔（２０）の上方から挿入される樹脂製の第２筒体（３９）と、を備え、第１筒体（３８）及び第２筒体（３９）は、挿通孔（２０）に挿通して押し込むことで互いに係合可能とされ、第１筒体（３８）の軸方向の一端側には、バンド（２０）の下面に当接又は対向するフランジ（３８ｂ）が形成され、第２筒体（３９）の軸方向の一端側には、バンド（２０）の上面に当接又は対向し且つ上記弾性シート（２３）が接合されたフランジ（３９ｂ）が形成されていることができる（例えば、図１１及び図１２等参照）。これにより、バンドから絶縁体が外れることを防止でき、分水栓装置を更に容易に組み付けることができる。
【００１８】
本実施形態に係る分水栓装置としては、例えば、上記バンド（２０）の下面側には、ボルト（１０）の軸回りの回転を規制するための壁部（２１）が形成されており、ボルトの頭部（１０ｃ）が壁部（２１）の側方に当接又は対向してボルト（１０）の軸回りの回転が規制されるように、バンド（５）に対してボルト（１０）が位置保持される形態（例えば、図２及び図８等参照）を挙げることができる。
【００１９】
＜分水栓装置の組付方法＞
本実施形態に係る分水栓装置の組付方法は、上記実施形態に係る分水栓装置（１、３１）の組付方法であって、水道本管（Ｐ）の外周上側にサドル（４）を配するとともに、水道本管（Ｐ）の外周下側にバンド（５）を配する配置工程と、配置工程で配されたサドル（４）及びバンド（５）の挿通孔（１６、２０）にボルトの軸部（１０ａ）をバンド（５）の下方から挿通するボルト挿通工程と、ボルト挿通工程で挿通されたボルトのネジ部（１０ｂ）にナット（１１）を螺合するナット螺合工程と、を備える（例えば、図５等参照）。そして、ボルト挿通工程では、ボルトの軸部（１０ａ）が弾性シート（２３）の貫通部（２４、２４ａ〜２４ｃ）に圧入することで、ボルトのネジ部（１０ｂ）がサドル（４）の挿通孔（１６）から上方に突出するように、バンド（５）に対してボルト（１０）が位置保持される（例えば、図５（ｂ）及び図６等参照）。
【００２０】
なお、上記実施形態で記載した各構成の括弧内の符号は、後述する実施例に記載の具体的構成との対応関係を示すものである。
【実施例】
【００２１】
以下、図面を用いて実施例により本発明を具体的に説明する。
【００２２】
＜実施例１＞
（１）分水栓装置の構成
本実施例に係る分水栓装置１は、図１に示すように、ボール式の弁機構２を有する分水栓３と、分水栓３が取り付けられ且つ水道本管Ｐの外周上側に配される鋳鉄製のサドル４と、水道本管Ｐを挟んでサドル４に対向するように水道本管Ｐの外周下側に配される鋳鉄製のバンド５と、を備えている。
【００２３】
上記分水栓３は、水道本管Ｐから分岐するための給水管（図示省略）を接続可能な接続部７と、水道本管Ｐと給水管とを連通する流路８を開閉する弁機構２を操作可能な操作軸９と、を備えている。なお、本実施例では、上記分水栓３として、公知構造と同じ構造のものを採用するものとして詳説を省略する。また、本実施例では、ボール式の弁機構２を採用したが、これに限定されず、例えば、コック式の弁機構を採用することもできる。
【００２４】
上記サドル４は、水道本管Ｐの所定の大きさの外径に沿うように形成された円弧部１３と、円弧部１３の両端側から外方に向かって略水平に延びるフランジ１４と、を備えている。この円弧部１３には、分水栓３が縦向きに取り付けられる台座１５が設けられている。この台座１５に形成されたネジ孔１５ａには、分水栓３の下端部が螺合されている。また、各フランジ１４には、ステンレス製のボルト１０の軸部１０ａが挿通される挿通孔１６が形成されている。なお、上記ボルト１０の軸部１０ａの先端側には、ステンレス製のナット１１が螺合するネジ部１０ｂが形成されている。
【００２５】
上記バンド５は、水道本管Ｐの所定の大きさの外径に沿うように形成された円弧部１８と、円弧部１８の両端側から外方に向かって略水平に延びるフランジ１９と、を備えている。これら各フランジ１９には、ボルト１０の軸部１０ａが挿通される挿通孔２０が形成されている。また、各フランジ１９の下面側には、挿通孔２０の近傍位置に、ボルト１０の軸回りの回転を規制するための突起状の壁部２１が設けられている。
【００２６】
上記バンド５のサドル４と対向する上面側には、図２に示すように、円板状でゴム製の弾性シート２３が配されている。この弾性シート２３は、ボルト１０の軸部１０ａが挿通されていない状態で挿通孔２０を覆うように設けられている（図５（ａ）及び図６参照）。また、弾性シート２３は、両面テープ又は接着剤（図示省略）によりバンド５の上面に接合されている。また、弾性シート２３には、図３及び図４に示すように、ボルト１０の軸部１０ａが圧入し得るように表裏方向に貫通した貫通部２４が形成されている。この貫通部２４は、バンド５の挿通孔２０の中心側に配される略正方形（又は略長方形）の孔部２５と、孔部２５の外周縁から外側に向かって放射状に延びる複数のスリット２６と、を備えている。この孔部２５は、図３（ａ）に示すように、その孔面積がボルト１０の軸部１０ａの横断面積より小さな値とされている。また、スリット２６は、その先端側（外端側）が挿通孔２０の外側まで延びている。
【００２７】
（２）分水栓装置の組付方法
次に、上記構成の分水栓装置１の組付方法について説明する。図５（ａ）に示すように、水道本管Ｐの外周上側にサドル４を配するとともに、水道本管Ｐの外周下側にバンド５を配する。このとき、サドル４及びバンド５の各挿通孔１６、２０は、互いに対向している。次に、図５（ｂ）に示すように、サドル４及びバンド５の挿通孔１６、２０にボルト１０の軸部１０ａをバンド５の下方から挿通する。すると、ボルト１０の軸部１０ａが弾性シート２３の貫通部２４に圧入することで、弾性シート２３の貫通部２４の近傍部分が弾性変形して上方に捲れ上がりボルト１０の軸部１０ａに圧接する（図６参照）。その結果、ボルト１０のネジ部１０ｂがサドル４の挿通孔１６から上方に突出するように、バンド５に対してボルト１０が位置保持される。このとき、ボルト１０の頭部１０ｃは、バンド５の壁部２１の側方に当接又は僅かな隙間をもって対向しており、ボルト１０の軸回りの回転が規制されている（図２参照）。この状態より、ボルト１０のネジ部１０ｂにナット１１を螺合すると、サドル４及びバンド５の間に水道本管Ｐが挟持されて、水道本管Ｐに分水栓装置１が組み付けられる（図１参照）。
【００２８】
なお、水道本管Ｐからの分水栓装置１の分解作業は、上述の組付作業と逆の手順で行われる。この分解作業においても、ナット１１が外されたボルト１０は、弾性シート２３によりバンド５に対して位置保持されており、作業者が支えることなくボルト１０の落下が防止される。
【００２９】
（３）実施例の効果
本実施例の分水栓装置１によると、バンド５のサドル４と対向する上面側には、バンド５の挿通孔２０を覆うように弾性シート２３が配され、弾性シート２３には、ボルト１０の軸部１０ａが圧入し得るように表裏方向に貫通した貫通部２４が形成されている。そして、サドル４及びバンド５の挿通孔１６、２０にボルト１０の軸部１０ａをバンド５の下方から挿通したときに、ボルト１０の軸部１０ａが弾性シート２３の貫通部２４に圧入することで、ボルト１０のネジ部１０ｂがサドル４の挿通孔２０から上方に突出するように、バンド５に対してボルト１０が位置保持される。このように、ボルト１０の軸部１０ａが弾性シート２３の貫通部２４に圧入すると、弾性シート２３の貫通部２４の近傍部分は、弾性変形して上方に捲れ上がりボルト１０の軸部１０ａに圧接するため、バンド５に対してボルト１０が位置保持される。これにより、サドル４及びバンド５の挿通孔１６、２０にボルト１０を挿通した際に作業者が支えることなくボルト１０の落下を防止することができる。その結果、ボルト１０のネジ部１０ｂにナット１１を容易に螺合でき、水道本管Ｐに分水栓装置１を容易に組み付けることができる。例えば、従来２人以上で行っていた組付作業を１人で行うこともできる。
【００３０】
また、本実施例では、貫通部２４は、バンド５の挿通孔２０の中心側に配される孔部２５と、孔部２５の外周縁から外側に向かって延びる複数のスリット２６と、を備える。これにより、弾性シート２３の貫通部２４に対するボルト１０の軸部１０ａの挿入性及び保持性をバランス良く高めることができる。
【００３１】
また、本実施例では、孔部２５は、その孔面積がボルト１０の軸部１０ａの横断面積より小さな値とされ、スリット２６は、その先端側（外端側）が挿通孔２０の外側まで延びている。これにより、ボルト１０の軸部１０ａの挿入性及び保持性を更にバランス良く高めることができる。
【００３２】
また、本実施例では、弾性シート２３は、バンド５のサドル４と対向する上面に接合されている。これにより、弾性シート２３を容易に接合できる。
【００３３】
さらに、本実施例では、バンド５の下面側には、ボルト１０の軸回りの回転を規制するための壁部２１が形成されており、ボルト１０の頭部１０ｃが壁部２１の側方に当接又は対向してボルト１０の軸回りの回転が規制されるように、バンド５に対してボルト１０が位置保持される。これにより、ボルト１０が回転規制された状態で位置保持されるため、ボルト１０のネジ部１０ｂにナット１１を更に容易に螺合できる。
【００３４】
＜実施例２＞
次に、実施例２に係る分水栓装置について説明するが、上記実施例１に係る分水栓装置１と略同じ構成部位には同符号を付けて詳説を省略し、両者の主な相違点について詳説する。
【００３５】
（１）分水栓装置の構成
本実施例に係る分水栓装置３１は、図７に示すように、分水栓３、サドル４及びバンド５を備えている。この分水栓３は、接続部７及び操作軸９を備えている。また、サドル４は、円弧部１３と、挿通孔１６が形成されたフランジ１４と、を備えている。さらに、バンド５は、円弧部１８と、挿通孔２０が形成されたフランジ１９と、を備えている。これら各フランジ１９の下面側には、図８に示すように、挿通孔２０の近傍位置に、ボルト１０の回転を規制するための突起状の一対の壁部２１が設けられている。なお、本実施例では、バンド５の上面に弾性シート２３が接合されていない。
【００３６】
上記サドル４の挿通孔１６には、図９及び図１０に示すように、ボルト１０の軸部１０ａが挿通される筒状のサドル側絶縁体３３が装着されている。このサドル側絶縁体３３は、挿通孔１６の上方から挿入される樹脂製の第１筒体３４と、挿通孔１６の下方から挿入される樹脂製の第２筒体３５と、を備えている。この第１筒体３４の外周側には、複数段の周溝３４ａが形成されている。また、第１筒体３４の軸方向の一端側（上端側）には、サドル４の上面に当接又は僅かな隙間をもって対向するフランジ３４ｂが形成されている。また、第２筒体３５の軸方向の一端側（下端側）には、サドル４の下面に当接又は僅かな隙間をもって対向するフランジ３５ｂが形成されている。また、第２筒体３５の軸方向の他端側（上端側）には、軸方向（上方）に延びる複数（図中３つ）の爪片３５ａが設けられている。これら各爪片３５ａは、弾性変形により第１筒体３４の複数段の周溝３４ａのうちの１つに係合可能とされている。そして、各爪片３５ａが適当な周溝３４ａに係合することで、第１筒体３４及び第２筒体３５は、一体化されるとともに各フランジ３４ｂ、３５ｂにより挿通孔１６内からの脱落が防止される。
【００３７】
上記バンド５の挿通孔２０には、図１１及び図１２に示すように、ボルト１０の軸部１０ａが挿通される筒状のバンド側絶縁体３７が装着されている。このバンド側絶縁体３７は、挿通孔２０の下方から挿入される樹脂製の第１筒体３８と、挿通孔２０の上方から挿入される樹脂製の第２筒体３９と、を備えている。この第１筒体３８の外周側には、複数段の周溝３８ａが形成されている。また、第１筒体３８の軸方向の一端側（下端側）には、バンド５の下面に当接又は僅かな隙間をもって対向するフランジ３８ｂが形成されている。また、第２筒体３９の軸方向の一端側（上端側）には、バンド５の上面に当接又は僅かな隙間をもって対向するフランジ３９ｂが形成されている。このフランジ３９ｂの上面には、両面テープ又は接着剤（図示省略）により弾性シート２３が接合されている。また、第２筒体３９の軸方向の他端側（下端側）には、軸方向（下方）に延びる複数（図中３つ）の爪片３９ａが設けられている。これら各爪片３９ａは、弾性変形により第１筒体３８の複数段の周溝３８ａのうちの１つに係合可能とされている。そして、各爪片３９ａが適当な周溝３８ａに係合することで、第１筒体３８及び第２筒体３９は、一体化されるととともに各フランジ３８ｂ、３９ｂにより挿通孔２０内からの脱落が防止される。
【００３８】
上記第１筒体３８のフランジ３８ｂの外縁側には、図１２に示すように、軸方向（下方）に延びる一対の立壁３８ｃが所定間隔を置いて対向状に形成されている。これら各立壁３８ｃの間には、ボルト１０の軸部１０ａが挿入される金属製のワッシャ４０が挿入される。このワッシャ４０は、リング部４０ａと、リング部４０ａの外縁側に形成された一対の立壁４０ｂと、を備えている。そして、図８に示すように、第１筒体３８の立壁３８ｃ（詳細には、ワッシャ４０の立壁４０ｂ）の内方にボルト１０の頭部１０ｃを配置するとともに、第１筒体３８の立壁３８ｃがバンド５の壁部２１に当接又は僅かな隙間をもって対向することで、ボルト１０の軸回りの回転が規制される。
【００３９】
（２）分水栓装置の組付方法
次に、上記構成の分水栓装置３１の組付方法について説明する。水道本管Ｐの外周上側にサドル４を配するとともに、水道本管Ｐの外周下側にバンド５を配する。このとき、サドル４及びバンド５の各挿通孔１６、２０は互いに対向している。また、サドル４の挿通孔１６にはサドル側絶縁体３３が装着されるとともに、バンド５の挿通孔２０にはバンド側絶縁体３７が装着されている。この状態より、サドル４及びバンド５の挿通孔１６、２０にボルト１０の軸部１０ａをバンド５の下方から挿通する。すると、ボルト１０の軸部１０ａが弾性シート２３の貫通部２４に圧入することで、弾性シート２３の貫通部２４の近傍部分が弾性変形して上方に捲れ上がりボルト１０の軸部１０ａに圧接する（図１１参照）。その結果、ボルト１０のネジ部１０ｂがサドル４の挿通孔１６から上方に突出するように、バンド５に対してボルト１０が位置保持される。このとき、ボルト１０の頭部１０ｃは、バンド５の壁部２１の側方に当接又は僅かな隙間をもって対向しており、ボルト１０の軸回りの回転が規制されている（図８参照）。この状態より、ボルト１０のネジ部１０ｂにナット１１を螺合すると、サドル４及びバンド５の間に水道本管Ｐが挟持されて、水道本管Ｐに分水栓装置３１が組み付けられる（図７参照）。
【００４０】
なお、水道本管Ｐからの分水栓装置３１の分解作業は、上述の組付作業と逆の手順で行われる。この分解作業においても、ナット１１が外されたボルト１０は、弾性シート２３によりバンド５に対して位置保持されており、作業者が支えることなくボルト１０の落下が防止される。
【００４１】
（３）実施例の効果
本実施例の分水栓装置３１によると、上記実施例１の分水栓装置１と略同様の作用・効果を奏することに加えて、バンド５の挿通孔２０には、ボルト１０の軸部１０ａが挿通される筒状の絶縁体３７が装着され、バンド５のサドル４と対向する上面には、絶縁体３７の軸方向の一端側に設けられ且つ弾性シート２３が接合されたフランジ３９ｂが当接又は対向されているので、絶縁体３７を備える分水栓装置３１として好適に利用できる。なお、上記絶縁体３７を使用してサドル４及びバンド５に対して非接触状態でボルト１０及びナット１１による固定を施すことで、異種金属であるサドル４及びバンド５とボルト１０及びナット１１との接触による腐食が防止される。
【００４２】
さらに、本実施例では、絶縁体３７は、挿通孔２０の下方から挿入される樹脂製の第１筒体３８と、挿通孔２０の上方から挿入される樹脂製の第２筒体３９と、を備え、第１筒体３８及び第２筒体３９は、挿通孔２０に挿通して押し込むことで互いに係合可能とされ、第１筒体３８の軸方向の一端側には、バンド５の下面に当接又は対向するフランジ３８ｂが形成され、第２筒体３９の軸方向の一端側には、バンド５の上面に当接又は対向し且つ上記弾性シート１０が接合されたフランジ３９ｂが形成されている。これにより、バンド５から絶縁体３７が外れることを防止でき、分水栓装置３１を更に容易に組み付けることができる。
【００４３】
尚、本発明においては、上記実施例に限られず、目的、用途に応じて本発明の範囲内で種々変更した実施例とすることができる。すなわち、上記実施例１、２では、孔部２５及びスリット２６を備える貫通部２４を例示したが、これに限定されず、例えば、図１３に示すように、交差状のスリット４２のみを備える貫通部２４ａとしてもよい。この貫通部２４ａは、例えば、バンド５の挿通孔２０の中心側に配される交点から外側に向かって延びる複数のスリット４２を備えることができる。また、例えば、図１４に示すように、孔部４４のみを備える貫通部２４ｂとしてもよい。さらに、上記実施例１、２では、多角形の孔部２５を備える貫通部２４を例示したが、これに限定されず、例えば、図１５に示すように、略円形（又は略楕円形）の孔部４６を備える貫通部２４ｃとしてもよい。
【００４４】
また、上記実施例１、２では、両面テープ又は接着剤により弾性シート２３をバンド５やバンド側絶縁体３７のフランジ３９ｂに接合するようにしたが、これに限定されず、例えば、インサート成形、圧着等により弾性シート２３をバンド５やバンド側絶縁体３７のフランジ３９ｂに接合するようにしてもよい。
【００４５】
また、上記実施例１、２では、突起状の壁部２１を例示したが、これに限定されず、例えば、凹部を構成する壁部としてもよい。
【００４６】
また、上記実施例１、２においては、例えば、水道本管Ｐに対してサドル４を配してからバンド５を配してもよいし、水道本管Ｐに対してバンド５を配してからサドル４を配してもよいし、水道本管Ｐに対して両者４、５を略同時に配してもよい。
【００４７】
また、上記実施例１では、バンド５の挿通孔２０に絶縁体を備えない分水栓装置１を例示したが、これに限定されず、例えば、図１６に示すように、バンド５の挿通孔２０に絶縁体４９を備える分水栓装置１としてもよい。
【００４８】
また、上記実施例２では、一対の立壁３８ｃが形成された第１筒体３８（図１２参照）を備えるバンド側絶縁体３７を例示したが、これに限定されず、例えば、一対の立壁３８ｃが形成されていない第１筒体３８を備えるバンド側絶縁体を採用してもよい。この場合、例えば、フランジ３８ｂの上面に弾性シート２３を接合してなる第１筒体３８をバンド５の挿通孔２０に上方から挿通し、第２筒体３９をバンド５の挿通孔２０に下方から挿通して、両者３８、３９を一体化することもできる。
【００４９】
さらに、上記実施例１、２における構成要素（例えば、サドル４、バンド５、ボルト１０、ナット１１、弾性シート２３等）の材質、寸法、形状等は、必要に応じて適宜選択できる。例えば、鋳鉄以外の金属製又は樹脂製のサドル４やバンド５を採用してもよい。また、例えば、ステンレス以外の金属製又は樹脂製のボルト１０やナット１１を採用してもよい。さらに、例えば、樹脂製又は金属製の弾性シート２３を採用してもよい。
【００５０】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００５１】
本発明は上記で詳述した実施形態に限定されず、本発明の請求項に示した範囲で様々な変形または変更が可能である。
【産業上の利用可能性】
【００５２】
本発明は、水道本管に組み付けられる分水栓装置に関する技術として広く利用される。
【符号の説明】
【００５３】
１，３１；分水栓装置、２；弁機構、３；分水栓、４；サドル、５；バンド、１０；ボルト、１０ａ；軸部、１０ｂ；ネジ部、１０ｃ；頭部、１１；ナット、１６；サドルの挿通孔、２０；バンドの挿通孔、２１；壁部、２３；弾性シート、２４，２４ａ〜２４ｃ；貫通部、２５；孔部、２６；スリット、３７；バンド側絶縁体、Ｐ；水道本管。
【図１】
2016084850.tif 000003
【図２】
2016084850.tif 000004
【図３】
2016084850.tif 000005
【図４】
2016084850.tif 000006
【図５】
2016084850.tif 000007
【図６】
2016084850.tif 000008
【図７】
2016084850.tif 000009
【図８】
2016084850.tif 000010
【図９】
2016084850.tif 000011
【図１０】
2016084850.tif 000012
【図１１】
2016084850.tif 000013
【図１２】
2016084850.tif 000014
【図１３】
2016084850.tif 000015
【図１４】
2016084850.tif 000016
【図１５】
2016084850.tif 000017
【図１６】
2016084850.tif 000018
【図１７】
2016084850.tif 000019